(57)【要約】【課題】不使用時には高さを低くして少ない収納場所にも収容することができ、必要に応じて高さの低い椅子としても使用可能な、構造簡単で安価なパイプ椅子を提供すること。【解決手段】（ａ）座板３と下端部に第１の透孔を持つ４本の脚４から構成される椅子本体１と、（ｂ）椅子本体１の脚４が挿入される上端部に第２の透孔を持つ４本の保持脚６と、これらを所定の位置に保持する第１及び第２の間隔保持部材と、脚４を保持脚６に挿入し第１及び第２の透孔を一致させた状態で、これらの透孔に差し込まれる係止ピン９とから構成される。脚４を保持脚６に挿入し第１及び第２の透孔を一致させた状態で、係止ピンをこれらの透孔に差し込んで固定すれば、高い椅子として使用することができ、係止ピンを抜いて椅子本体を加工させれば高さが低くなり、収納に便利となる。【選択図】図４
0003110235.tif 000002
【実用新案登録請求の範囲】
【請求項１】
（ａ）座板の下面に、等長で下端近傍の同じ高さの位置に内側に向けて第１の透孔が穿設された４本の脚を、ほぼ正方形の頂点の位置に、かつ互いに平行に取付けてなる椅子本体と、
（ｂ）前記椅子本体の４本の脚に対応する位置に配置され、等長で上端近傍の同じ高さの位置に内側に向けて第２の透孔が穿設された前記椅子本体の各脚が挿入可能な４本の中空パイプからなる保持脚と、各端部が前記各保持脚の第２の透孔の周縁部に固着され、各端部近傍には案内溝が形成された十字形状の中空パイプからなる第１の間隔保持部材と、前記第１の間隔保持部材より下方で、前記保持脚がほぼ正方形の頂点の位置になるよう各端部をそれぞれ互いに隣接する前記保持脚に固着した中空パイプからなる第２の間隔保持部材と、前記第１の保持部材の各案内溝から操作つまみを突出させて前記第１の保持部材の端部に摺動自在に内挿された係止ピンとを備えた補助架台と
から成ることを特徴とするパイプ椅子。
【請求項２】
前記椅子本体の各脚には、それぞれ高さを対応させて複数組の透孔が穿設されていることを特徴とする請求項１記載のパイプ椅子。
【考案の詳細な説明】
【技術分野】
【０００１】
本考案は、脚部をパイプで形成したパイプ椅子に係り、特に高さを複数段に変えることにより、狭い収納スペースにも収納可能とした構造が簡単で安価に製作できるパイプ椅子に関する。
【背景技術】
【０００２】
従来から、座板の下面に、等長の４本の金属パイプからなる脚をほぼ正方形の頂点に位置させて取付けてなるパイプ椅子が知られている。このパイプ椅子は、構造が簡単で安価なことから事務所や集会所をはじめ、一般家庭でも広く用いられている。
【０００３】
一般に、パイプ椅子は、４本の脚が下方に向けて末広がりに取付けられているため、多数を使用する事務所等においては、パイプ椅子を保管する場合には、複数個を重ねて効率よく保管するようにしている。
【０００４】
しかしながら、マンション等の収納スペースが限られた住宅に住む家庭では、このようなパイプ椅子を１個か２個だけ保有することが多く、このような場合には重ねて収納してもさほど省スペースにはならない。
【０００５】
特に、パイプ椅子は、平面の大きさに比べて高さが高い独特の形状をしているため、収納する適当な場所がない場合が多く部屋を広く使用したい場合に邪魔になるという問題もあった。
【考案の開示】
【考案が解決しようとする課題】
【０００６】
本考案は、かかる従来の難点を解消すべくなされたもので、不使用時には高さを低くして少ない収納場所にも収容することができ、必要に応じて高さの低い椅子としても使用可能な、構造簡単で安価に製作することのできるパイプ椅子を提供することを目的とする。
【課題を解決するための手段】
【０００７】
本考案のパイプ椅子は、かかる目的を達成するためなされたもので、（ａ）座板の下面に、等長で下端近傍の同じ高さの位置に内側に向けて第１の透孔が穿設された４本の脚を、ほぼ正方形の頂点の位置に、かつ互いに平行に取付けてなる椅子本体と、（ｂ）前記椅子本体の４本の脚に対応する位置に配置され、等長で上端近傍の同じ高さの位置に内側に向けて第２の透孔が穿設された前記椅子本体の各脚が挿入可能な４本の中空パイプからなる保持脚と、各端部が前記各保持脚の第２の透孔の周縁部に固着され、各端部近傍には案内溝が形成された十字形状の中空パイプからなる第１の間隔保持部材と、前記第１の間隔保持部材より下方で、前記保持脚がほぼ正方形の頂点の位置になるよう各端部をそれぞれ互いに隣接する前記保持脚に固着した中空パイプからなる第２の間隔保持部材と、前記第１の保持部材の各案内溝から操作つまみを突出させて前記第１の保持部材の端部に摺動自在に内挿された係止ピンとを備えた補助架台とから成ることを特徴としている。
【０００８】
なお、椅子本体の各脚には、それぞれ高さを対応させて複数組の透孔を穿設して、高さを複数段に変えることも可能である。
【０００９】
本考案に使用される中空パイプとしては、スチールパイプ、ステンレスパイプ、アルミパイプ等の金属パイプが適している。
【考案の効果】
【００１０】
本考案は、椅子本体の４本の脚を補助架台の４本の保持脚に挿入し係止ピンにより係止するように構成したので、係止ピンを抜くことにより高さを低くすることが可能となり、狭いスペースにも収納可能になる。また、構造が簡単なので安価に製作することが可能である。さらに、高さの低い椅子としても使用可能である。
【考案を実施するための最良の形態】
【００１１】
以下、本考案の実施例について説明する。    
図１は、この実施例の椅子本体１の斜視図、図２は、この実施例の補助架台２の斜視図である。
【００１２】
椅子本体１は、上面にクッションを設けた座板３と、この座板３の下面のほぼ正方形の頂点の位置に、下方に向けて互いに平行に取付けられた４本の脚４から構成されている。これらの脚４は、金属パイプの２本をコ字状に折り曲げ加工し中央部で十字状に交差させ溶接又はボルト締めにより固定することにより形成されている。各脚４の下端近傍の同じ高さの位置に、それぞれ内側、すなわち各脚の外接円の中心方向に向けて、脚４を貫通する第１の透孔４ａが形成されている。脚４の下端にはゴムキャップ５が被せられている。脚４の長さは、通常のパイプ椅子の脚のほぼ半分の長さである。なお、脚４は、座板３の下面に図示しない取付部材を固着し、この取付部材に４本の個別のパイプを取付けるようにしてもよい。
【００１３】
補助架台２は、４本の保持脚６と、これらの保持脚６を所定の位置に保持する第１の間隔保持部材７並びに第２の間隔保持部材８と、第１の間隔保持部材７に装着された係止ピン９とから構成されている。
【００１４】
保持脚６は、座板３の脚４が遊挿可能な内径を持つ金属パイプから形成されており、その長さは座板３の脚４よりやや長くなっている。これらの保持脚６は、椅子本体１の４本の脚４と対応する位置に平行に配置され、後述する第１の間隔保持部材７並びに第２の間隔保持部材８により保持されている。保持脚６の上端からやや下がった同じ高さの位置には、それぞれ内側、すなわち各保持脚６の外接円の中心方向に向けて保持脚６を貫通する第２の透孔６ａが形成されている。
【００１５】
また、各保持脚６の下端にもゴムキャップ１０が被せられている。
【００１６】
第１の間隔保持部材７は、２本の金属パイプを十字形状に交差させ交差部を溶接又はねじ止めにより固着したもので、十字型の端部は、各保持脚６の透孔６ａ内に挿入されてその周縁部が保持脚６に溶接されている。第１の間隔保持部材７の端部の上面部分は切り取られて係止ピン９の操作部であるつまみ９ａの操作棒９ｂを案内する長孔７ａが形成され、長孔７ａの両端近傍にはつまみ９ａの操作棒９ｂを係止するための切欠部７ｂ、７ｂが形成されている。なお、第１の間隔保持部材７は、２本の金属パイプではなく、４本の短い金属パイプを十字型に配置して内側の端部を溶接して十字型に形成するようにしてもよい。
【００１７】
係止ピン９は、図３に拡大して示すように、保持脚６の外径よりやや長さの長い前後を丸めた円柱状をしており、後端中央には軸方向に沿ってＬ字型の操作棒９ｂの一端が固着され、Ｌ字型の他端は長孔７ａから突出してその先端には球形のつまみ９ａが固着されている。
【００１８】
第２の間隔保持部材８は、第１の間隔保持部材７の下方に、４本の短い金属パイプの各両端部を隣接する補助脚６の同じ高さの対向する面に溶接させて構成されている。
【００１９】
次に、この実施例のパイプ椅子の使用方法について説明する。  
図４は、この実施例のパイプ椅子の通常の使用状態を示す斜視図、図５はその収納状態又は高さを低くして使用する状態を示す斜視図である。
【００２０】
このパイプ椅子を使用する場合には、まず補助架台２の全ての係止ピン９を後退位置（Ｂ側）に退いた状態（図３に点線で示す）で椅子本体１の各脚４を保持脚６内に挿入し、第１の透孔４ａと第２の透孔６ａとを一致させる。この状態で係止ピン９を保持脚６側（Ａ側）に押し込み、つまみ９ａを倒して、つまみ９ａの操作棒９ｂを保持脚６側の切欠部７ｂに係止させる（図３に実線で示す）。
【００２１】
全ての係止ピン９を保持脚６側に押し込み、かつ、つまみ９ａの操作棒９ｂを保持脚６側の切欠部７ｂに係止させると、椅子本体１と補助架台２は完全に一体化して通常の高さのパイプ椅子として使用し得る。このとき係止ピン９は、保持脚６の第２の透孔６ａから先端がわずかに突き出した状態となっている。
【００２２】
次に、このパイプ椅子を保管する場合には、上記と逆の操作で係止ピン９を第１の透孔４ａ、第２の透孔６ａから引き抜くと（図３に点線で示す）、椅子本体１は自重により椅子本体１の各脚４が保持脚６内を下降して図５の状態となる。
【００２３】
なお、この状態で椅子本体１の各脚４の係止ピン９と対応する位置に第１の透孔と同様の第３の透孔を形成しておけば、係止ピンを第２の透孔６ａと第３の透孔に共通に挿入することにより、椅子本体１と補助架台２とをこの高さで一体に固定することができる。
【００２４】
図５の状態の高さは、図４の状態の高さのほぼ半分となるので、収納スペースがほぼ半分で済むことになり、かつわずかのスペースも保管スペースとして有効に利用することが可能となる。
【００２５】
また、図１又は図５の状態で高さの低い椅子として使用することができるので用途範囲も拡張される。
【００２６】
なお、本考案は、上記のような実施例に限定されるものではなく、例えば次のような実施態様とすることもできる。    
（１）椅子本体１の脚４のそれぞれに、高さを対応させて複数組の第１の透孔を設けることによりさらに多くの段階の高さで使用することが可能になる。    
（２）係止ピンの背部にコイルバネを配置して係止ピンを保持脚側に付勢することにより、椅子本体と補助架台との連結を確実にすることができる。    
（３）金属パイプとして、アルミパイプを使用することにより全体を軽量化したり、金属パイプをステンレスパイプとすることにより浴場等の湿気の多い場所でも錆びさせずに使用することができる。
【図面の簡単な説明】
【００２７】
【図１】本考案の一実施例の椅子本体の斜視図。
【図２】本考案の一実施例の補助架台の斜視図。
【図３】本考案の一実施例の係止ピンによる係合部の拡大部分断面図。
【図４】本考案の一実施例の使用状態を示す斜視図。
【図５】本考案の一実施例の収納状態を示す斜視図。
【符号の説明】
【００２８】
１………椅子本体
２………補助架台
３………座板
４………脚
４ａ……第１の透孔
５………ゴムキャップ
６………保持脚
６ａ……第２の透孔
７………第１の間隔保持部材
７ａ……長孔
７ｂ……切欠部
８………第２の間隔保持部材
９………係止ピン
９ａ……つまみ
９ｂ……操作棒
１０……ゴムキャップ
【図１】
0003110235.tif 000003
【図２】
0003110235.tif 000004
【図３】
0003110235.tif 000005
【図４】
0003110235.tif 000006
【図５】
0003110235.tif 000007